(57)【要約】【課題】高温多湿環境においても省エネ性を犠牲にすることなく、高品質な画像を形成できるようにする。【解決手段】スキャナ部、プリント部及び画像処理機能の少なくとも１つを駆動制御するエンジン制御部２００と、作像部周辺を冷却除湿する空調装置４１３とを備えた画像形成装置において、省エネルギモードの場合には、前記冷却除湿空調装置４１３には電力供給を行い、前記エンジン制御部２００へは電力供給を遮断し、冷却除湿動作を可能とする必要最低限の部分のみ通電状態として、省エネルギモード時での消費電力を極力抑えながら冷却除湿制御を行う。【選択図】図２
2008065059.tif 000002
【特許請求の範囲】
【請求項１】
スキャナ部、プリント部及び画像処理機能の少なくとも１つを駆動制御するエンジン制御手段と、作像部周辺を冷却除湿する冷却除湿手段とを備えた画像形成装置において、
省エネルギモードの場合には、前記冷却除湿手段には電力供給を行い、前記エンジン制御手段へは電力供給を遮断する電力供給制御手段を備えていることを特徴とする画像形成装置。
【請求項２】
前記省エネルギモード時はエンジン制御手段のＣＰＵで用いられているクロック信号を低速にするクロック制御手段を備えていることを特徴とする請求項１記載の画像形成装置。
【請求項３】
前記冷却除湿手段及びこの冷却除湿手段を駆動制御する駆動回路を搭載した第１の基板と、
前記エンジン制御手段を搭載した第２の基板と、
を備え、両者が別体に設けられていることを特徴とする請求項１記載の画像形成装置。
【請求項４】
前記冷却除湿手段の動作可否設定を変更する設定変更手段を備えていることを特徴とする請求項１ないし３のいずれか１項に記載の画像形成装置。
【請求項５】
省エネルギモード中の前記冷却除湿手段の動作可否設定を判別する判別手段を備えていることを特徴とする請求項４記載の画像形成装置。
【請求項６】
前記判別手段が省エネルギモード中に動作不可の設定と判別した場合、前記電力供給制御手段は省エネルギモードでは前記冷却除湿手段及び前記エンジン制御手段への電力供給をともに遮断することを特徴とする請求項５記載の画像形成装置。
【請求項７】
前記冷却除湿手段によって冷却除湿される部分もしくはその近傍の温湿度を検出するセンサを備え、
前記センサが前記第１の基板上に搭載された駆動回路に接続されていることを特徴とする請求項３記載の画像形成装置。
【請求項８】
前記冷却除湿される部分が、結露防止ヒータ、給紙部及び二次転写部の除湿ヒータのいずれかを含むことを特徴とする請求項７記載の画像形成装置。
【請求項９】
省エネルギモード時においては、前記冷却除湿手段に備えられたファンの回転速度を通常モード時より低速にすることを特徴とする請求項１ないし８のいずれか１項に記載の画像形成装置。
【請求項１０】
省エネルギモード時においては、前記冷却除湿手段に備えられた熱交換ユニットに流す電流を通常モード時より低いレベルとすることを特徴とする請求項１ないし９のいずれか１項に記載の画像形成装置。
【発明の詳細な説明】
【技術分野】
【０００１】
本発明は、複写機、ファクシミリ、プリンタ及びこれらの機能を複合して備えたデジタル複合機などの画像形成装置に係り、特に、省エネルギ対応の画像形成装置に関する。
【背景技術】
【０００２】
画像形成装置の画像形成部には温湿度の影響を受けやすい部材が多く使用されている。トナーの流動性や現像剤の電荷量などはその中でも最たるもので、他にも感光体の帯電特性や、その帯電部に使用されているゴムローラの硬度などの特性も影響を受ける。また、高湿条件では、帯電部で発生したオゾンが感光体ドラムの表面近傍に滞留すると、感光体ドラム表面を酸化することから感光体ドラム表面の帯電特性が悪化し、画像ボケなどの異常画像が発生しやすくなる。
【０００３】
このような高温、高湿状態による悪影響を可能な限り排除するため、例えば特許文献１記載には、湿度検出手段により検出された機内湿度と所定の最適湿度とを比較し、該湿度差がある場合に前記湿度調節手段により装置内の湿度を調節するようにした発明が記載されている。また、特許文献２記載には、ペルチェ素子を用いた熱交換ユニットと熱交換ユニットを冷却・放熱するためのファンを備えた空調装置により温度調整を行うようにした発明が記載されている。また、この発明では、作像部近傍には温湿度センサが配置され、そのセンサで測定した湿度が所定の値以上になった場合に空調装置を作動させるようにもなっている。
【０００４】
特許文献２記載の発明では、前記空調装置が作動することにより、外気が空調装置の低温部を通過し、この低温部を通過した外気は、低温部で冷却され、冷却除湿風となる。そこで、この冷却除湿風を作像部へ送風することによって作像部近傍の温湿度を抑制するようにしている。そして、この作像部近傍の温湿度を抑制することにより、前述の高温湿度に起因する影響を排除するようにしている。
【０００５】
ところで、この種の画像形成装置では省エネルギの要請が強く、省エネルギモードという動作モードが設けられているのが一般的である。この省エネルギモードは、ユーザが画像形成装置の操作部上の電源キーを押下した場合、あるいは予め設定された省エネルギモード移行時間が画像形成装置に対して何の動作指示も行われない状態で経過した場合に、省エネルギモードに自動的に移行する。この省エネルギモードへの移行は、制御回路のコントローラからエンジン制御部に省エネルギモード移行要求が送信されることにより行われる。
【０００６】
省エネルギモード移行要求を受けたエンジン制御部は接続されているアクチュエータＯＦＦ、定着部のヒータ及びリレーＯＦＦなどの処理を行い、電源遮断しても良い状態に移行する。そして、コントローラへ省エネルギモード移行完了を通知する。コントローラはエンジン制御部からの省エネルギモード移行完了通知を受けて、電源供給ユニットにエンジン制御部への電源遮断を指示する。省エネルギモードへの移行は、このようなシーケンスに従って行われる。
【０００７】
なお、関連する公知技術として特許文献３及び４記載の発明も公知である。
【特許文献１】特許第３３５２５７３号公報
【特許文献２】特開２００５−２６８５８４号公報
【特許文献３】特開２００５−２６８６０号公報
【特許文献４】特開２００２−８６８４４号公報
【発明の開示】
【発明が解決しようとする課題】
【０００８】
ところで、前述のシーケンスに従って省エネルギモードに入ると、空調装置及び温湿度センサは非通電状態になってしまうため、冷却除湿制御が不可能になってしまう。そのため、高温多湿環境に設置された画像形成装置において常に良好な画質を得たい場合は、当該画像形成装置が省エネモードに入らないような設定に変更し、除湿効果が低下しないようにしている。そのため、省エネルギ性が犠牲になっていた。
【０００９】
そこで、本発明が解決すべき課題は、高温多湿環境においても省エネルギ性を犠牲にすることなく、高品質な画像を形成できるようにすることにある。
【課題を解決するための手段】
【００１０】
前記課題を解決するため、第１の手段は、スキャナ部、プリント部及び画像処理機能の少なくとも１つを駆動制御するエンジン制御手段と、作像部周辺を冷却除湿する冷却除湿手段とを備えた画像形成装置において、省エネルギモードの場合には、前記冷却除湿手段には電力供給を行い、前記エンジン制御手段へは電力供給を遮断する電力供給制御手段を備えていることを特徴とする。
【００１１】
第２の手段は、第１の手段において、前記省エネルギモード時はエンジン制御手段のＣＰＵで用いられているクロック信号を低速にするクロック制御手段を備えていることを特徴とする。
【００１２】
第３の手段は、第１の手段が、前記冷却除湿手段及びこの冷却除湿手段を駆動制御する駆動回路を搭載した第１の基板と、前記エンジン制御手段を搭載した第２の基板とを備え、両者が別体に設けられていることを特徴とする。
【００１３】
第４の手段は、第１ないし第３のいずれかの手段において、前記冷却除湿手段の動作可否設定を変更する設定変更手段を備えていることを特徴とする。
【００１４】
第５の手段は、第４の手段において、省エネルギモード中の前記冷却除湿手段の動作可否設定を判別する判別手段を備えていることを特徴とする。
【００１５】
第６の手段は、第５の手段において、前記判別手段が省エネルギモード中に動作不可の設定と判別した場合は省エネルギモードでは前記冷却除湿手段及び前記エンジン制御手段への電力供給をともに遮断することを特徴とする。
【００１６】
第７の手段は、第３の手段において、前記冷却除湿手段によって冷却除湿される部分もしくはその近傍の温湿度を検出するセンサを備え、前記センサが前記第１の基板上に搭載された駆動回路に接続されていることを特徴とする。
【００１７】
第８の手段は、第７の手段において、前記冷却除湿される部分が、結露防止ヒータ、給紙部の除湿ヒータ及び二次転写部の除湿ヒータのいずれかを含むことを特徴とする。
【００１８】
第９の手段は、第１ないし第８のいずれかの手段において、省エネルギモード時においては、前記冷却除湿手段に備えられたファンの回転速度を通常モード時より低速にすることを特徴とする。
【００１９】
第１０の手段は、第１ないし第９のいずれかの手段において、省エネルギモード時においては、前記冷却除湿手段に備えられた熱交換ユニットに流す電流を通常モード時より低いレベルとすることを特徴とする。
【００２０】
なお、後述の実施形態では、スキャナ部は原稿読み取り部、プリンタ部は画像形成部２０、画像処理機能は画像処理部２１０に、エンジン制御手段はエンジン制御部２００に、冷却除湿手段はファン４１２，５０２、空調装置４１３，５０３、または空調制御部５００に、電力供給制御手段は電源供給ユニット３３０及びコントローラ１１２に、ＣＰＵは２２１，５１１に、駆動回路はＣＰＵ２２１，５１２、ＲＯＭ２２２，５１２、ＲＡＭ２２３，５１３に、第１の基板は空調制御基板５１０に、第２の基板はエンジン制御基板に、設定変更手段は操作部及びコントローラ１１０のＣＰＵ１１２に、判別手段はコントローラ１１０のＣＰＵ１１２に、それぞれ対応する。また、ファン４１２はＣＰＵ２２１により、また、ファン５０２はＣＰＵ５１１により回転制御され、熱交換ユニットに流す電流もＣＰＵ２２１あるいは５１１により制御される。
【発明の効果】
【００２１】
本発明によれば、冷却除湿手段に対しては電力供給を行い、エンジン制御手段へは電力供給を遮断するので、高温多湿環境においても省エネ性を犠牲にすることなく、高品質な画像を形成することができる。
【発明を実施するための最良の形態】
【００２２】
以下、図面を参照し、本発明の実施形態について説明する。
【実施例１】
【００２３】
図１は本発明の実施例１に係る画像形成装置としてのデジタルカラー複写機の全体構成の概略を示す図である。同図において、デジタルカラー複写機１は給紙部２、原稿搬送部３、原稿読み取り部２３、画像形成部２０から基本的に構成されている。画像形成部２０はいわゆるタンデム式の作像部を有し、図１において中間転写ベルト２５の上側に４個の感光体ドラム２６Ｙ、２６Ｍ、２６Ｃ、２６Ｋが接した状態で並設されている。各感光体ドラム２６（以下、前色に共通し、概括的に述べる場合には、Ｙ，Ｍ，Ｃ，Ｋの色を表す添え字は省略する）の周りには、各感光体ドラム２６表面を帯電処理する帯電装置６２と、各感光体ドラム２６表面に形成された静電潜像を各色のトナーで可視像化する現像装置６３と、各感光体ドラム２６上のトナー像（可視像）を中間転写ベルト２５上に転写した後に感光体ドラム上に残ったトナーを回収するクリーニング装置６４がそれぞれ設けられている。この画像形成部２０の上部には、感光体ドラム２６表面上に静電潜像を形成する露光部を備えた露光装置７が設けられている。
【００２４】
給紙部２から搬送された転写紙は、レジストローラ３３のニップ位置で一旦停止し、感光体ドラム２６上の画像と同期をとって再給紙され、二次転写ローラ５１によって中間転写ベルト２５上のトナー像が転写紙に転写される。トナー像が転写された転写紙は定着装置２８で定着処理され、最後に排紙収納部２４に排出される。また、中間転写ベルト２５上に残留したトナーは中間転写ベルトクリーナ５２によってクリーニングされる。
【００２５】
定着装置２８で定着処理された転写紙が排紙収納部２４に排紙される際には、分岐爪４３によって排紙収納部２４側への搬送路が選択され、転写紙は排紙ローラ４１によって排紙収納部２４に排紙される。一方、転写紙の両面に画像を形成する場合には、分岐爪４３によって両面トレイ２９側の搬送路が選択される。両面トレイ２９側に搬送された転写紙は、両面トレイ２９で反転され、再度レジストローラ３３側まで搬送されて裏側の面に再度画像が形成され、同様の動作を経て排紙収納部２４に排紙される。
【００２６】
給紙部２の給紙トレイ５に集積され、給紙カセット２２に収納されたシートＰは、１枚ずつ給紙ローラ（ピックアップローラ）６によってピックアップされ、搬送ロー４を介してレジストローラ３３側まで搬送される。なお、ピックアップローラ６によってピックアップされた転写紙は分離ローラ８によって１枚ずつ画像形成部２０側に搬送される。
【００２７】
原稿搬送部３はＡＤＦとも称され、原稿載置台に載置された原稿を１枚ずつ画像読み取り部２３のコンタクトガラス３１上に搬送し、画像読み取り部２３で原稿画像を読み取る。読み取りは、照明用光源と第１ミラーを搭載した第１走行体３２ａ、第２及び第３ミラーを搭載した第２走行体３２ｂを原稿の副走査方向に移動させ、原稿からの反射光を第１ないし第３のミラーを介して結像レンズ３４に導き、ＣＣＤなどの光電変換素子３５上に結像して読み取る。
【００２８】
図２は図１のデジタルカラー複写機１の電気的構成の概略を示すブロック図である。  
図２において、デジタルカラー複写機１はシステム制御部１００とエンジン制御部２００と電源供給ユニット３００とから基本的に構成されている。システム制御部１００はコントローラ１１０とＦＡＸ制御部１２０を備えている。コントローラ１１０はさらにＡＳＩＣ１１１、ＣＰＵ１１２，ＲＯＭ１１３、ＲＡＭ１１４及びＮＶ−ＲＡＭ１１５を備え、電源供給ユニット３００から電源の供給を受けている。
【００２９】
エンジン制御部２００は画像処理部２１０、メイン制御部２２０、ＣＣＤ制御部（読み取り制御部）２３０及びＬＤ制御部（書き込み制御部）２４０を備えている。メイン制御部２２０はＣＰＵ２２１、ＲＯＭ２２２、ＲＡＭ２２３、Ｉ／Ｏ制御用ＡＳＩＣ２２４，２２５，２２６を備え、電源供給ユニット３００からＤＣ電力供給を受けている。
【００３０】
画像形成装置のコントローラ制御部１１０とエンジン制御部２００の基板は独立しており、エンジン制御部２００は主にスキャナ機構とプリント機構及び画像処理機能を制御し、空調装置４１３はプリント機構に含まれる。エンジン制御部２００に搭載されているＣＰＵは１つであり、このＣＰＵ２２１でエンジン・メイン制御部２２０、ＣＣＤ制御部２３０、画像処理部２１０、ＬＤ制御部２４０全てを駆動する。
【００３１】
本実施例では、冷却除湿動作に必要な温湿度センサ４１１、ファン４１２、空調装置４１３と、冷却動作に必要でない構成要素とはＤＣ電源の供給を分けている。すなわち、温湿度センサ４１１、ファン４１２、空調装置４１３、及びそれらを制御するのに必要な最小限の構成（図１ではＣＰＵ２２１、ＲＯＭ２２２、ＲＡＭ３及びＩ／Ｏ制御用ＡＳＩＣ２２４）とそれ以外の部分に独立してＤＣ電源を供給するようにしている。ここでは、センサ４０１、アクチュエータ４０２及びＩ／Ｏ制御用ＡＳＩＣ２２５，２２６に、ＣＰＵ２２１，ＲＯＭ２２２、ＲＡＭ２２３及びＩ／Ｏ制御用ＡＳＩＣ２２４とは別にＤＣ電源が供給されている。
【００３２】
図３はこのように構成したときの省エネルギモードに移行するコントローラ側の処理手順を示すフローチャート、図４はエンジン側の処理手順を示すフローチャートである。  
省エネルギモードには、操作部上の電源スイッチをユーザが押下した場合、または動作終了後、所定時間以上放置された場合に移行する。放置された場合とは、操作部上のキー操作もプリンタデータインもない状態である。これらの監視及び判定はコントローラ１１０が行い（Ｓ１）、省エネルギモードへの移行条件を満たした場合、エンジン制御部２００へ省エネルギモード移行要求を発行する（Ｓ２）。
【００３３】
エンジン制御部２００はコントローラ１１０からの省エネルギモード移行要求を受ける（Ｓ１０）と、除湿冷却動作に必要なファン・空調装置以外のアクチュエータ４０２を停止（Ｓ１１）し、また、定着ヒータをＯＦＦし（Ｓ１２）、さらにはパワーリレーもＯＦＦ（Ｓ１３）する。その後、コントローラ１１０へ省エネルギモード移行完了を通知（Ｓ１４）する。
【００３４】
コントローラ１１０はエンジン制御部２００からの省エネルギモード移行完了通知を受ける（Ｓ３）と、電源供給ユニット３００にエンジン制御部２００の冷却除湿機構以外への電源遮断を指示（Ｓ４）し、省エネルギモード移行手順が完了する。
【００３５】
なお、省エネルギモードでも冷却除湿動作させるなら、省エネルギモードでも通電されているコントローラ１１０で冷却除湿機構の制御を行うこともできる。しかし、機械動作時の冷却除湿動作ＯＮ／ＯＦＦは作像部の動作ＯＮ／ＯＦＦに同期する場合があり、また、ウォームアップ動作、プリント動作時に電力配分制御が必要なケースではエンジン内の定着部、紙搬送部、周辺機などの制御との連携が必須であるなどの理由によりコントローラ１１０で冷却除湿機構の制御を行うことは好ましくない。そこで、本実施例のように制御するようにしている。
【００３６】
このように構成すると、省エネルギモード中の消費電力を抑えながらも、冷却除湿機構を動作させることが可能となる。よって、除湿効果を得るために省エネルギ性を犠牲にする必要がなくなる。
【００３７】
また、本実施例において、省エネルギモード中はＣＰＵ２２１に供給されるクロックを低速にできるように図示しないクロック生成部をエンジン制御基板内に設けることもできる。この場合、ＣＰＵ２２１、ＲＯＭ２２２、ＲＡＭ２２３及びＩ／Ｏ制御用ＡＳＩＣ２２４，２２５，２２６は図示しないＣＰＵバスで接続され、通常動作時は前記クロック生成部からこれらのＣＰＵ２２１、ＲＯＭ２２２、ＲＡＭ２２３及びＩ／Ｏ制御用ＡＳＩＣ２２４〜２２６に高速クロック信号を送出している。そして、コントローラ１１０からエンジン制御部２００内のクロック生成部にはクロック設定データ信号が送出される。
【００３８】
このように構成すると、省エネルギモード移行時の手順は以下のようになる。  
すなわち、図１に示すように省エネルギモード移行要求を受けたエンジン制御部２００は除湿冷却動作に必要なファン４１２及び空調装置４１３以外のアクチュエータ４０２を停止し、定着ヒータ及びリレーをＯＦＦした後にコントローラ１１０へ省エネルギモード移行完了を通知する。コントローラ１１０は電源供給ユニット３００にエンジン制御部２００の冷却除湿機構以外への電源遮断を指示するとともに、エンジン制御部２００内のクロック生成部に低速クロック設定信号を送出する。これにより省エネルギモード時は低速クロックでエンジン制御部２００が動作することになる。
【００３９】
省エネルギモード中に冷却除湿機構を動作させるにあたってはプリント時のように多くのＣＰＵパワーを必要としない。そこで、本実施例のように構成することにより省エネルギモード中は低速クロックで冷却除湿機構を動作させることが可能となり、消費電力をさらに低減することができる。
【００４０】
その他、特に説明しない各部は前述の従来例と同等に構成され、同等に機能する。
【実施例２】
【００４１】
図５は本実施例２に係るデジタルカラー複写機１の電気的構成の概略を示すブロック図である。本実施例は、冷却除湿動作に必要な温湿度センサ５０１、ファン５０２、及び空調装置５０３、及びその制御部を空調制御部５００としてエンジン制御部２００を搭載したエンジン制御基板から独立させ、別基板である空調制御基板５１０上に設定したものである。電源供給ユニット３００もエンジン制御部２００とは独立して空調制御部５００にも独立して電源を供給する。空調装置制御基板には装置を制御するためのＣＰＵ５１１、ＲＯＭ５１２及びＲＡＭ５１３（場合によってはＩ／Ｏ制御用ＡＳＩＣも加わる）を配し、エンジン制御部２００とはシリアルバスによって接続される。空調装置制御基板に搭載されるＣＰＵ５１１、ＲＯＭ５１２、ＲＡＭ５１３は当然のことながら、冷却除湿機能を実現するうえで必要最低限のスペックとし、出来る限りコストはかけないようにする。
【００４２】
本実施例では、省エネルギモード移行要求を受けたエンジン制御部２００はアクチュエータ４０２を停止し、定着ヒータ及びリレーをＯＦＦした後にコントローラ１１０へ省エネルギモード移行完了を通知する。コントローラ１１０は電源供給ユニット３００にエンジン制御部２００への電源遮断を指示する。なお、省エネルギモード中の冷却除湿部の動作仕様が通常時と異なるようであれば、エンジン制御部２００への電源供給が遮断される前に、エンジン制御部２００から空調制御部５００へこれから省エネルギモードに移行することを通知しておく必要がある。
【００４３】
このように構成すると、省エネルギモード中に冷却除湿に必要最低限な構成のみ動作させることが可能となる。その結果、除湿効果を得るために省エネルギ性を犠牲にする必要がなくなる。
【００４４】
その他、特に説明しない各部は前述の実施例１と同等に構成され、同等に機能する。
【００４５】
なお、実施例１及び２に対して次のように構成することもできる。  
１）冷却除湿機能の要否は画像形成装置が設置されている環境によって左右される。季節によって温湿度は変化し、設置環境の空調設備の有無によっても変わる。そこで、各々の画像形成装置の設置環境に応じて冷却除湿機構の要否を変更できるようにする。この冷却除湿機構の動作可否の変更は、画像形成装置の図示しない操作部からユーザまたはサービスエンジニアが設定する。この設定は、前記操作部からコントローラ１１０に入力され、コントローラ１１０のＣＰＵ１１２の制御を変更することにより行われる。このＣＰＵ１１２はこの設定変更に伴ってファン４１２，５０２、空調装置４１３，５０３を制御することになる。  
このように画像形成装置の設置環境に合わせて冷却除湿動作可否設定を変更することにより、冷却除湿が必要でない環境で無駄な電力の消費を防止することができる。
【００４６】
２）通常動作時の機内の温湿度を定期的にサンプリングし、その結果により省エネルギモード中に機内の冷却除湿が必要か否かを判別する機能を設ける。本機能のＯＮ／ＯＦＦは画像形成装置の図示しない操作部からユーザまたはサービスエンジニアが変更する。この場合も前記冷却除湿動作可否設定と同様に前記操作部からコントローラ１１０に入力され、コントローラ１１０のＣＰＵ１１２の制御を変更することにより行われる。このＣＰＵ１１２はこの設定変更に伴ってファン４１２，５０２、空調装置４１３，５０３を制御することになる。  
このように構成すると、ユーザまたはサービスエンジニアの手を煩わすことなく、省エネルギモード中の冷却除湿要否を自動的に判別することにより、より設置環境に即した制御をしながらも省エネルギモード中の消費電力を抑制することができる。
【００４７】
３）前記１）または２）の制御において省エネルギモード中の冷却除湿が不要と設定もしくは判断された場合は、省エネルギモード移行時にエンジン制御部全体を非通電状態とする。  
すなわち、省エネルギモード移行要求を受けたエンジン制御部２００はアクチュエータ４０２を停止し、定着ヒータ及びリレーをＯＦＦした後にコントローラ１１０へ省エネルギモード移行完了を通知する。コントローラ１１０は省エネルギモード中の冷却除湿要否設定値を参照し、「不要」であれば電源供給ユニット３００に実施例１の場合はエンジン制御部２００（空調装置も含む）への電源遮断を指示し、実施例２の場合はエンジン制御部２００と空調制御部５００への電源遮断を指示する。  
このように構成すると、省エネルギモード中の冷却除湿が不要と設定または判断された場合に無駄な電力の消費を防止することができる。
【００４８】
４）冷却除湿機構が接続されている基板上の回路にスキャナ部の結露防止ヒータ及びその近傍の温湿度を測定する温湿度センサ４１１を接続する（図２参照）。これにより省エネルギモード中においてもスキャナ部の温度が所定の温度より低い場合のみ結露防止ヒータをＯＮすることが可能となる。  
このように構成すると、結露防止用のヒータ制御の最適化を図ること可能となり、消費電力を抑制することができる。
【００４９】
５）冷却除湿機構が接続されている基板に給紙部２、二次転写部（二次転写ローラ５１部）の除湿ヒータ及びその近傍の温湿度を測定する温湿度センサ４１１を接続する（図２参照）。これにより省エネルギモード中においても給紙部２または二次転写部が所定の湿度より高い場合のみ除湿ヒータをＯＮすることが可能となる。  
このように構成すると、給紙部２、二次転写部（二次転写ローラ５１部）の除湿ヒータ制御の最適化を図ることが可能となり、消費電力を抑制することができる。
【００５０】
６）前記実施例１，２で使用している空調装置４１３，５０３は冷却部への送風と放熱部の排熱のためにファン４１２，５０２を使用しているが、これらを省エネルギモード時に作動させると騒音の問題が発生する場合がある。そこで、省エネルギモード時に冷却除湿を行う場合は、４１２，５０２ファンの回転速度を通常動作時より低速に抑える。  
このように構成すると、省エネルギモード中の冷却除湿動作中の騒音を抑えることができる。これにより、省エネ性を損なうことなく作像部の冷却・除湿効果を高め、常に安定した画像を得ることができる。
【００５１】
７）省エネルギモード時に空調装置４１３，５０３のファン４１２，５０２の回転を低速化すると除湿効率が悪くなる虞がある。また、本実施例で使用している空調装置４１３，５０３ではペルチェ素子により冷却された部分に結露した水分は排熱で蒸発させるようになっているが、ファン４１２，５０２の回転の低速化はこれらにも影響を与える。そこで、ファンの回転を落とすのに合わせて、ペルチェ素子の駆動電流を小さくする。これにより、騒音回避とともに消費電力の低下も図ることができる。  
このように構成すると、省エネルギモード中の冷却除湿動作中の騒音を抑えることが可能となる。これにより、省エネ性を損なうことなく作像部の冷却・除湿効果を高め、常に安定した画像を得ることができる。
【図面の簡単な説明】
【００５２】
【図１】本発明の実施例１に係るデジタルカラー複写機の機械的構成の概略を示す図である。
【図２】実施例１に係るデジタルカラー複写機の電気的構成の概略を示すブロック図である。
【図３】実施例１におけるコントローラ側の処理手順を示すフローチャートである。
【図４】実施例１におけるエンジン側の処理手順を示すフローチャートである。
【図５】実施例２に係るデジタルカラー複写機の電気的構成を示すブロック図である。
【符号の説明】
【００５３】
１００  システム制御部
１１０  コントローラ
１１２  ＣＰＵ
２００  エンジン制御部
２１０  画像処理部
２２０  エンジン・メイン制御部
２２１  ＣＰＵ
２２４〜２２６  Ｉ／Ｏ制御用ＡＳＩＣ
３００  電源供給ユニット
４０１  センサ
４０２  アクチュエータ
４１１，５０１  温湿度センサ
４１２，５０２  ファン
４１３，５０３  空調装置  
５００  空調制御部
５１０  空調制御回路
【図１】
2008065059.tif 000003
【図２】
2008065059.tif 000004
【図３】
2008065059.tif 000005
【図４】
2008065059.tif 000006
【図５】
2008065059.tif 000007